(57)【要約】【課題】飼育水の水位に対する吐出管部の吐出口の位置を自動的に適正に保つことにより、濾過水が飼育水を叩く音がしなくなり、飼育水中の溶存酸素を確保することができるとともに、水面に油膜を発生し難くすることのできる観賞魚水槽用濾過装置を提供する。【解決手段】吐出管２６の吐出口２６ｏから濾過した濾過水Ｆを観賞魚水槽内へ還流させる観賞魚水槽用濾過装置２１において、観賞魚水槽内の飼育水Ｂの水位Ｌに応じて吐出管２６の吐出口２６ｏの高さを飼育水Ｂの水位Ｌに調整する高さ調整機構２５を設けた。【選択図】図２
2009189308.tif 000002
【特許請求の範囲】
【請求項１】
吐出管部の吐出口から濾過した濾過水を観賞魚水槽内へ還流させる観賞魚水槽用濾過装置において、
前記観賞魚水槽内の飼育水の水位に応じて前記吐出口の高さを前記水位に調整する高さ調整機構を設けた、
ことを特徴とする観賞魚水槽用濾過装置。
【発明の詳細な説明】
【技術分野】
【０００１】
この発明は、吐出管部の吐出口から濾過した濾過水を観賞魚水槽内へ還流させる観賞魚水槽用濾過装置に関するものである。
【背景技術】
【０００２】
観賞魚水槽においては、餌の食べ残し、観賞魚の排泄物、汚泥などによって飼育水が濁り、アンモニアが発生する。
この飼育水の濁りおよびアンモニアは、観賞魚の成育に悪影響を与えることが知られている。
そこで、飼育水を物理濾過することによって飼育水の濁りを除去するとともに、飼育水を生物濾過することによってアンモニアを亜硝酸、硝酸へと酸化分解している。
【０００３】
上記のように飼育水を濾過する場合、観賞魚水槽用濾過装置で飼育水を濾過した後、例えば、観賞魚水槽上に設置した観賞魚水槽用濾過装置の濾過ケースに設けた吐出管の吐出口から濾過水を観賞魚水槽内へ還流させている（例えば、特許文献１参照。）。
【０００４】
【特許文献１】特開２００６−２３０２１２号公報
【発明の開示】
【発明が解決しようとする課題】
【０００５】
上記した特許文献１の観賞魚水槽用濾過装置で濾過水を観賞魚水槽内へ還流させる場合、観賞魚水槽内の飼育水が自然に蒸発することによって水位が低下す（低くな）ると、吐出管の吐出口からの濾過水が観賞魚水槽内の飼育水を叩くような状態となり、濾過水が飼育水を叩く音が、うるさく感じられる。
また、観賞魚水槽内へ飼育水を通常維持水位以上入れると、吐出管の吐出口が飼育水中に埋もれて水面の水の流れがなくなることにより、溶存酸素が少なくなったり、水面に油膜が発生し、観賞魚の成育環境が悪化する。
したがって、観賞魚水槽内の飼育水が通常維持水位となるように、飼育水を補充したり、飼育水を汲み出すことによって水位を通常維持水位となるように調整（設定）する必要があるので、飼育水の水位調整に手間がかかる。
【０００６】
この発明は、上記したような不都合を解消するためになされたもので、飼育水の水位に対する吐出管部の吐出口の位置を自動的に適正に保つことにより、濾過水が飼育水を叩く音がしなくなり、飼育水中の溶存酸素を確保することができるとともに、水面に油膜を発生し難くすることのできる観賞魚水槽用濾過装置を提供するものである。
【課題を解決するための手段】
【０００７】
この発明は、吐出管部の吐出口から濾過した濾過水を観賞魚水槽内へ還流させる観賞魚水槽用濾過装置において、前記観賞魚水槽内の飼育水の水位に応じて前記吐出口の高さを前記水位に調整する高さ調整機構を設けたことを特徴とする。
【発明の効果】
【０００８】
この発明によれば、観賞魚水槽内の飼育水の水位に応じて吐出管部の吐出口の高さを飼育水の水位に調整する高さ調整機構を設けたので、吐出管部の吐出口の高さを観賞魚水槽内の飼育水の水位に応じて自動的に調整することができる。
したがって、飼育水の水位に対する吐出管部の吐出口の位置が自動的に適正に保たれることにより、濾過水が飼育水を叩く音がしなくなる。
また、飼育水の水位に対する吐出管部の吐出口の位置が自動的に適正に保たれることにより、すなわち、吐出管部の吐出口が飼育水中に埋もれなくなることによって水面に水の流れが発生することにより、飼育水中の溶存酸素を確保することができるとともに、水面に油膜が発生し難くなる。
【発明を実施するための最良の形態】
【０００９】
以下、この発明の実施例を図に基づいて説明する。
【００１０】
図１はこの発明の一実施例である観賞魚水槽用濾過装置を設置した観賞魚水槽の斜視図、図２は図１に示した観賞魚水槽用濾過装置の要部を一部破断して示す説明図である。
【００１１】
図１において、１１は、金魚などの観賞魚を成育させる飼育水Ｂを収容する観賞魚水槽を示し、上面が開放（開口）する箱形に、底の上側に位置する前後左右の４面がガラスや合成樹脂の透明板で形成されている。
２１は観賞魚水槽用濾過装置を示し、観賞魚水槽１１内の飼育水Ｂを濾過して濾過水Ｆとした後、濾過水Ｆを観賞魚水槽１１内へ還流させるものである。
４１はガラス蓋を示し、観賞魚水槽用濾過装置２１を構成する濾過ケース２４とともに観賞魚水槽１１の上面開口を覆い、飼育水Ｂの蒸発を抑えるとともに、観賞魚水槽１１内へゴミなどの異物が入るのを阻止するものである。
なお、観賞魚水槽１１の上面開口は、観賞魚水槽用濾過装置２１、ガラス蓋４１によって覆われている。
【００１２】
上記した観賞魚水槽用濾過装置２１は、観賞魚水槽１１の飼育水Ｂ中に配置される水中ポンプ２２と、この水中ポンプ２２に一端が接続され、水中ポンプ２２から飼育水Ｂが供給される連結管２３と、観賞魚水槽１１上に設置され、内部に物理濾過、生物濾過を行う濾過材（図示省略）が収容されるとともに、下面の、例えば、右側に連結管２３の他端が接続される連結管接続部（図示省略）が設けられ、下面の、例えば、左側に濾過水Ｆを排出する吐出管接続部２４ｃ（図２参照）が設けられた、上面が開放した箱形の濾過ケース２４と、この濾過ケース２４の吐出管接続部２４ｃに設けられた高さ調整機構２５と、濾過ケース２４の上面開口を覆う蓋体３０とで構成されている。
【００１３】
上記した高さ調整機構２５は、図２に示すように、吐出管接続部２４ｃの内外、例えば、内側に上下動可能に挿入された、吐出管部としてのＬ字状の吐出管２６と、この吐出管２６の下側に配置さ（取り付けら）れた、浮力付与体としての発泡体２７とで構成されている。
２６ｏは、濾過水Ｆを吐出する吐出管２６の吐出口を示す。
【００１４】
次に、観賞魚水槽用濾過装置２１の作用などについて説明する。
まず、水中ポンプ２２を起動させると、観賞魚水槽１１内の飼育水Ｂは、水中ポップ２２から連結管２３を介して濾過ケース２４の連結管接続部へと送られ、濾過ケース２４内へ供給される。
このようにして濾過ケース２４内へ供給された飼育水Ｂは、濾過ケース２４内に収容された濾過材によって物理濾過、生物濾過されて濾過水Ｆとなる。
そして、濾過水Ｆは吐出管接続部２４ｃから吐出管２６へと流下し、吐出口２６ｏから観賞魚水槽１１内へと還流する。
【００１５】
このようにして吐出管２６の吐出口２６ｏから観賞魚水槽１１内へと濾過水Ｆを還流させると、吐出管２６が吐出管接続部２４ｃ内に上下動可能に挿入され、吐出管２６の下側に発泡体２７が配置されているので、吐出管２６の吐出口２６ｏの高さが観賞魚水槽１１内の飼育水Ｂの水位Ｌに自動的に調整される。
このように、吐出管２６の吐出口２６ｏの高さが観賞魚水槽１１内の飼育水Ｂの水位Ｌに自動的に調整されると、飼育水Ｂの水位Ｌに対する吐出管２６の吐出口２６ｏの位置が自動的に適正に保たれることにより、濾過水Ｆが飼育水Ｂを叩かなくなることによって濾過水Ｆが飼育水Ｂを叩く音がしなくなる。
また、飼育水Ｂの水位Ｌに対する吐出管２６の吐出口２６ｏの位置が自動的に適正に保たれることにより、すなわち、吐出管２６の吐出口２６ｏが飼育水Ｂ中に埋もれなくなることによって水面に水の流れが発生することにより、飼育水Ｂ中の溶存酸素を確保することができるとともに、水面に油膜が発生し難くなる。
【００１６】
上述したように、この発明の一実施例の観賞魚水槽用濾過装置２１によれば、観賞魚水槽１１内の飼育水Ｂの水位に応じて吐出管２６の吐出口２６ｏの高さを飼育水Ｂの水位Ｌに調整する高さ調整機構２５を設けたので、吐出管２６の吐出口２６ｏの高さを観賞魚水槽１１内の飼育水Ｂの水位Ｌに自動的に調整することができる。
したがって、飼育水Ｂの水位Ｌに対する吐出管２６の吐出口２６ｏの位置が自動的に適正に保たれることにより、濾過水Ｆが飼育水Ｂを叩く音がしなくなる。
また、飼育水Ｂの水位Ｌに対する吐出管２６の吐出口２６ｏの位置が自動的に適正に保たれることにより、すなわち、吐出管２６の吐出口２６ｏが飼育水Ｂ中に埋もれなくなることによって水面に水の流れが発生することにより、飼育水Ｂ中の溶存酸素を確保することができるとともに、水面に油膜が発生し難くなる。
【００１７】
図３はこの発明の他の実施例である観賞魚水槽用濾過装置の要部を一部破断して示す説明図であり、図１、図２と同一部分または図１、図２の相当部分に同一符号を付し、その説明を省略する。
【００１８】
図３において、高さ調整機構２５は、吐出管接続部２４ｃの内外、例えば、外側に取り付けられた、吐出管部としてのＬ字状の蛇腹管２８と、この蛇腹管２８の下側に配置さ（取り付けら）れた、浮力付与体としての発泡体２９とで構成されている。
なお、蛇腹管２８は、吐出管接続部２４ｃに接続される上部（垂直部分）が蛇腹部２８ｂとされ、この蛇腹部２８ｂに連なる下部がＬ字管部２８ｔとされ、このＬ字管部２８ｔの下側に発泡体２９が配置さ（取り付けら）れている。
２８ｏは、濾過水Ｆを吐出する蛇腹管２８の吐出口を示す。
【００１９】
次に、図１および図２に示した実施例と異なる作用などについて説明する。
前述した実施例と同様に濾過ケース２４内で濾過された濾過水Ｆは、吐出管接続部２４ｃから蛇腹管２８へと流下し、吐出口２８ｏから観賞魚水槽内へと還流する。
このようにして蛇腹管２８の吐出口２８ｏから観賞魚水槽内へと濾過水Ｆを還流させると、蛇腹管２８は蛇腹部２８ｂで伸縮し、Ｌ字管部２８ｔの下側に発泡体２９が配置されているので、蛇腹管２８の吐出口２８ｏの高さが観賞魚水槽内の飼育水Ｂの水位Ｌに自動的に調整される。
このように、蛇腹管２８の吐出口２８ｏの高さが観賞魚水槽内の飼育水Ｂの水位Ｌに自動的に調整されると、飼育水Ｂの水位Ｌに対する蛇腹管２８の吐出口２８ｏの位置が自動的に適正に保たれることにより、濾過水Ｆが飼育水Ｂを叩かなくなることによって濾過水Ｆが飼育水Ｂを叩く音がしなくなる。
また、飼育水Ｂの水位Ｌに対する蛇腹管２８の吐出口２８ｏの位置が自動的に適正に保たれることにより、すなわち、蛇腹管２８の吐出口２８ｏが飼育水Ｂ中に埋もれなくなることによって水面に水の流れが発生することにより、飼育水Ｂ中の溶存酸素を確保することができるとともに、水面に油膜が発生し難くなる。
【００２０】
この実施例においても、図１および図２に示した実施例と同様な効果を得ることができる。
【００２１】
上記した実施例では、濾過ケース２４の吐出管接続部２４ｃの内側に吐出管２６（吐出管部）を上下動可能に挿入したり、濾過ケース２４の吐出管接続部２４ｃの外側に蛇腹管２８（吐出管部）を取り付けた例を示したが、吐出管部は吐出管接続部２４ｃの内側に取り付けても、外側に取り付けてもよい。
また、浮力付与体を発泡体２７，２９とした例を示したが、浮力付与体は、同様に機能するものであれば、発泡体以外の他のものであってもよい。
また、吐出管２６（吐出管部）の吐出口２６ｏまたは蛇腹管２８（吐出管部）の吐出口２８ｏを飼育水Ｂの水位Ｌに応じて上下動させるため、発泡体２７，２９（浮力付与体）を吐出管２６、蛇腹管２８に取り付けたが、吐出管２６自体または蛇腹管２８自体が浮力を有するもので構成されていれば  吐出管２６または蛇腹管２８に必ずしも浮力付与体を取り付ける必要はない。
【図面の簡単な説明】
【００２２】
【図１】この発明の一実施例である観賞魚水槽用濾過装置を設置した観賞魚水槽の斜視図である。
【図２】図１に示した観賞魚水槽用濾過装置の要部を一部破断して示す説明図である。
【図３】この発明の他の実施例である観賞魚水槽用濾過装置の要部を一部破断して示す説明図である。
【符号の説明】
【００２３】
１１    観賞魚水槽
２１    観賞魚水槽用濾過装置
２２    水中ポンプ
２３    連結管
２４    濾過ケース
２４ｃ  吐出管接続部
２５    高さ調整機構
２６    吐出管（吐出管部）
２６ｏ  吐出口
２７    発泡体（浮力付与体）
２８    蛇腹管（吐出管部）
２８ｂ  蛇腹部
２８ｔ  Ｌ字管部
２８ｏ  吐出口
２９    発泡体（浮力付与体）
３０    蓋体
４１    ガラス蓋
Ｂ      飼育水
Ｌ      水位
Ｆ      濾過水
【図１】
2009189308.tif 000003
【図２】
2009189308.tif 000004
【図３】
2009189308.tif 000005